(57)【特許請求の範囲】
【請求項１】
通信装置の動作特性を試験する通信試験装置において、該通信試験装置は、種々の測定条件および測定手順を記憶している記憶手段と、予め用意された手続きに従って、記憶手段に記憶されている種々の測定条件および測定手順のうちから所定の測定条件および測定手順を読出して設定し、設定された測定条件および測定手順で通信装置の動作特性を測定する制御を行なう制御手段と、測定された結果を取得する取得手段とを有し、前記制御手段は、通信装置の試験実行時に、測定と同時に測定結果の解析を行ない、該通信装置に関する測定あるいは試験を継続するか中断するかを判断するようになっていることを特徴とする通信試験装置。
【請求項２】
請求項１記載の通信試験装置において、該通信試験装置には、複数の通信装置を接続可能であって、複数の通信装置が接続される場合、複数の通信装置を順次に切り換えて、各通信装置の試験を順次に行なわせるための切換手段がさらに設けられており、また、複数の通信装置を順次に試験する際、各通信装置の合否を所定の基準に基づいて判定し、その判定結果により、基準に満たないと判断された通信装置を、合格と判断された通信装置あるいは試験中の通信装置と区別もしくは分離する判定分離手段をさらに有していることを特徴とする通信試験装置。
【発明の詳細な説明】
【０００１】
【発明の属する技術分野】
本発明は、変復調装置等の通信装置の通信特性などの動作特性を測定，評価（試験）する通信試験装置に関する。
【０００２】
【従来の技術】
従来、例えば変復調装置（モデム）の性能を測定，評価する場合、種々の回線特性を模擬的に実現する回線特性シミュレータと、信号の誤り率（ビットエラーレート：以下ＢＥＲと略す）を測定するための誤り率測定装置（データエラーアナライザ）とを使用していた。従来の回線特性シミュレータでは、回線特性やＳ／Ｎなどの測定条件を、測定条件が異なるたびにダイヤルやスイッチによって手動で設定し、その他種々の条件の設定や変復調装置の設定等も手動で行なっていた。また、誤り率測定装置に対する測定時の伝送データ数や測定の開始，中断，再測定等の指示も手動で行なっていた。
【０００３】
具体的に、例えば測定条件の設定を変更する場合、その都度、伝送レベル等を確認して、必要であればレベルの調整を行なっていた。また、回線特性シミュレータの設定条件のうち、ある特定の条件，例えばＳ／Ｎのみを順次変化させ、他の回線条件は固定して、繰り返し測定を行なうことがしばしばあるが、このような場合にも、伝送レベルの調整，Ｓ／Ｎの設定の変更および測定の指示などを、その都度手動にて行なう必要があり、測定，評価作業の能率を著しく低下させていた。
【０００４】
例えば伝送速度２４００ビット／秒にて１０６ビットのデータに対するＢＥＲの測定を回線の特性条件一定でＳ／Ｎを変化させて行なう場合、測定結果の信頼性を高めるために、各Ｓ／Ｎに対し５回の測定を実施すると、測定に要する時間は、次のようになる。
【０００５】
【数１】
（１０６ビット）／（２４００ビット／秒）×（５回）≒２０８３秒（約３５分）
【００】
更に測定する対象のＳ／Ｎの値が４点であったとすると、測定に要する時間は、次のようになる。
【０００６】
【数２】
（１０６ビット）／（２４００ビット／秒）×（５回）×（４点）≒８３３３秒（約１３９分）
【０００７】
ただし、この計算には、測定条件を設定する時間や通信ためのトレーニング時間は含まれていない。従って、これらの設定等に要する時間をも考慮した場合、測定に要する時間は３時間以上になると見積られる。しかも、その測定時間の間、測定者は、条件の設定，測定開始の指示，測定結果の取得等の作業を続ける必要がある。
【０００８】
このような問題を解決するため、例えば、特公平５−７２７７５号に示されているような通信試験装置が案出されている。図１０は特公平５−７２７７５号に示されている通信試験装置の構成図である。図１０を参照すると、通信回線特性シミュレータ１００は、基本的には、中央処理装置（ＣＰＵ）１０２と、一時記憶装置（ＲＡＭ）１０４と、例えばＲＯＭからなる回線特性メモリ１０６と、例えばキーボードなどからなる測定条件手順設定装置１０８と、デジタル信号処理プロセッサ１１０とからなり、これらがシステムバス１１２によって相互に接続されている。
【０００９】
ＣＰＵ１０２は本システム全体の動作を制御総括するデジタルプロセッサである。
【００１０】
また、回線特性メモリ１０６には、シミュレータ１００で模擬的に実現すべき種々の回線特性が蓄積されている。シミュレータ１００で実現すべき回線特性のプログラムすなわち設定測定条件や測定の指示などの手順は、測定条件手順設定装置１０８からオペレータによって入力される。入力された測定条件および手順はＲＡＭ１０４に一時蓄積される。
【００１１】
デジタル信号処理プロセッサ（ＤＳＰ）１１０は、設定された測定条件に従って模擬的に通信回線の伝送特性を実現する処理装置である。ＤＳＰ１１０は、入力バス１１４がアナログ・デジタル変換器（ＡＤＣ）１１６を介して変復調装置２００の送信部２０２の伝送路側と接続され、出力バス１１８がデジタル・アナログ変換器（ＤＡＣ）１２０を介して同受信部２０４の伝送路側と接続される。ＡＤＣ１１６は後述する被測定装置２００から受信したアナログ信号をデジタル信号に変換してＤＳＰ１１０に供給し、ＤＡＣ１２０はＤＳＰ１１０からデジタル信号をアナログ信号に変換して被測定装置２００に送出する。そこで、ＤＳＰ１１０は入力バス１１４から受信した信号に対して設定回線条件に従った信号処理を施し、つまり種々の信号劣化要因を信号に加えて出力バス１１８に送信することにより、伝送特性を模擬的に実現する。
【００１２】
変復調装置２００は被試験装置の一例として示されているが、他の通信装置であってもよく、ＡＤＣ１１６およびＤＡＣ１２０とはそれぞれ接続線２０６および２０８によって着脱可能に接続される。また、変復調装置２００の送信部２０２および受信部２０４の各制御線２２２および２２４はシミュレータ１００のＣＰＵ１０２に着脱可能に接続され、ＣＰＵ１０２からの起動，停止信号ＯＮ／ＯＦＦによって変復調装置としての動作が制御される。
【００１３】
変復調装置２００の宅内装置側は、接続線２１０および２１２によってデータエラーアナライザ２２０に着脱可能に接続される。データエラーアナライザ２２０は、シミュレータ１００のＣＰＵ１０２から制御線２２６を通した制御によりデータ信号を出力２１０に送出し、入力２１２で受信したデータの誤り率や歪などの信号状態を測定する測定装置である。
【００１４】
変復調装置２００の送信部２０２は、データエラーアナライザ２２０から受けたデータ信号を変調してシミュレータ１００に送出し、シミュレータ１００のＤＳＰ１１０では、この信号に信号劣化要因を加えて変復調装置２００に返送する。返送された信号は変復調装置２００の受信部２０４で復調され、データエラーアナライザ２２０でその誤り率などが測定される。
【００１５】
その測定を終了すると、測定終了信号ＥＮＤが制御線２２８によってＣＰＵ１０２およびプリンタ２３０に出力される。また、測定結果は出力線２３２から例えばプリンタ２３０などの出力装置に出力される。プリンタの代りに、またこれとともに、例えばＣＲＴディスプレイなどの他の出力装置や、外部記憶装置，通信制御装置などに出力線２３２を接続してもよい。
【００１６】
データエラーアナライザ２２０はこのように、データ誤り率測定装置としての機能のみならず、変復調装置２００の送信部２０２に対するデータ源としての機能も有する。
【００１７】
図１１は被測定装置としての変復調装置２００の伝送特性を試験する場合のシミュレータ１００の動作手順を示すフローチャートである。
【００１８】
まず、回線特性を測定したいＳ／Ｎの範囲などの測定条件および測定手順を測定条件手順設定装置１０８により入力する（３０２）。これらの測定条件および手順はＲＡＭ１０４に蓄積される（設定される）。
【００１９】
次に、測定条件手順設定装置１０８から測定開始を指示し、測定を開始させる（３０４）。そこでシミュレータ１００のＣＰＵ１０２は、回線特性メモリ１０６に格納されている回線特性のうち測定条件手順設定装置１０８により入力設定された測定条件に対応した回線特性（より具体的には、ＲＡＭ１０４に蓄積された測定条件に対応した回線特性）を読み出し、ＤＳＰ１１０にこれをロードする（３０６）。
【００２０】
次に、ＣＰＵ１０２は、変復調装置２００とＤＳＰ１１０との間で信号レベルの整合をとるためのレベル調整処理を行なう（３０８）。なお、このレベル調整処理については、本発明と直接関係せず、従って詳述しないが、具体的には、例えば、ＣＰＵ１０２により変復調装置２００の送信部２０２を起動して、送信部２０２から所定の信号を送出させ、設定装置１０８で指定された回線特性を実現するＤＳＰ１１０でこれを処理する。これによって、この回線特性下での信号と雑音のレベル調整、および受信信号のレベル調整が行なわれる。
【００２１】
レベル調整処理が終了すると、ＣＰＵ１０２は、送信部２０２を消勢し、例えばＲＡＭ１０４に設定されているＳ／Ｎの範囲の中から測定すべき１つのＳ／Ｎを読み出して、これをＤＳＰ１１０にロードする（３１０）。
【００２２】
そこでＣＰＵ１０２は送信部２０２，受信部２０４およびデータエラーアナライザ２２０を起動し、前述したようにデータ信号を変復調装置２００を通してデータエラーアナライザ２２０とＤＳＰ１１０との間で送受信し、データエラーアナライザ２２０において、例えば出力２１０と入力２１２とを比較して誤り率などの測定を行なう（３１２）。
【００２３】
測定が終了すると、データエラーアナライザ２２０はＥＮＤ信号を出力するとともに、これに応動してＣＰＵ１０２はプリンタ２３０に測定結果を印字させる（３１４）。ＣＰＵ１０２は、現在測定中の回線特性において、例えばＲＡＭ１０４に設定されているＳ／Ｎの範囲のうちで未測定のＳ／Ｎがあれば（３１６）、ステップ３１０へ移行し、新たなＳ／ＮをＤＳＰ１１０にロードして同様の測定を繰り返す。このようにして、設定されているＳ／Ｎ範囲のすべてのＳ／Ｎについての測定を終了したのち、例えばＲＡＭ１０４に設定されている回線特性のうちで未測定のものがあれば（３１８）、ステップ３０６へ移行して新たな回線特性ＤＳＰ１１０にロードして同様の測定を繰り返す。
【００２４】
このように、図１０の通信試験装置によれば、設定手段により複数の測定条件が設定されている場合に、複数の測定条件に基づく各測定を順次に行なうよう処理制御がなされ、１つの測定条件下での測定が終了すると、次の測定条件下での測定にオペレータの操作を必要とせずに自動的に切替わるので、模擬的な回線特性を１測定毎に変えながら被試験装置の性能を測定試験する場合も、この試験を能率良く迅速に行なうことが可能となる。
【００２５】
【発明が解決しようとする課題】
しかしながら、上述の通信試験装置では、回線特性を測定したいＳ／Ｎの範囲などの測定条件および測定手順を測定条件手順設定装置１０８により作業者が入力する必要があり、測定手段，測定条件が多岐にわたる場合、作業効率（試験効率）が低下するなどの問題があった。
【００２６】
また、上述の通信試験装置においては、例えばある回線条件下で、測定パラメータとしてのＳ／Ｎを変化させて測定しようとする場合、測定結果の如何にかかわらず、全てのＳ／Ｎについて測定を実行していた。例えば、ある回線条件下でＳ／Ｎを１０［ｄＢ］から３０［ｄＢ］まで５［ｄＢ］間隔で変化させて測定しようとすると、１０，１５，２０，２５，３０［ｄＢ］の計５回の測定の全てを、測定結果の如何にかかわらず実行していた。
【００２７】
すなわち、このような測定においては、通常Ｓ／Ｎが大きくなるに連れてＢＥＲは向上するので、場合によっては測定途中で誤り数が０になる場合もあり、誤り数が０と測定された以降の測定（例えばＳ／Ｎが２０［ｄＢ］で誤り数が０となった場合、Ｓ／Ｎが２５，３０［ｄＢ］における測定）は無意味であるにもかかわらず、従来では全ての測定を実行していた。試験，評価項目の増加によって通信装置の試験，評価に要する時間や人的資源も増加する中、より効率的な通信装置の開発／生産を図る場合、このような無意味な測定を低減することが必須である。
【００２８】
本発明は、通信装置の試験の際の作業効率を向上させることの可能な通信試験装置を提供することを目的としている。
【００２９】
また、本発明は、通信装置の試験の処理効率をより向上させることの可能な通信試験装置を提供することを目的としている。
【００３０】
さらに、本発明は、通信装置の試験，評価環境を充実させ、通信装置の開発効率を向上させ、また、生産された通信装置に対し迅速かつ高度な試験を実現し、品質管理の能率や信頼性を向上させることができ、さらに、市場に供給された製品に生じた問題点や苦情に対する解析，対策の効率を向上させることの可能な通信試験装置を提供することを目的としている。
【００３１】
【課題を解決するための手段】
上記目的を達成するために、請求項１記載の発明では、通信装置の動作特性を試験する通信試験装置において、該通信試験装置は、種々の測定条件および測定手順を記憶している記憶手段と、予め用意された手続きに従って、記憶手段に記憶されている種々の測定条件および測定手順のうちから所定の測定条件および測定手順を読出して設定し、設定された測定条件および測定手順で通信装置の動作特性を測定する制御を行なう制御手段と、測定された結果を取得する取得手段とを有し、前記制御手段は、通信装置の試験実行時に、測定と同時に測定結果の解析を行ない、該通信装置に関する測定あるいは試験を継続するか中断するかを判断するようになっており、測定中，試験中に常に測定結果の吟味を行なっているため、測定中の問題点の検出や、無駄な測定の防止が可能となる。これによって、より効率良く通信装置の試験を行なうことができる。
【００３７】
また、請求項２記載の発明では、請求項１記載の通信試験装置において、該通信試験装置には、複数の通信装置を接続可能であって、複数の通信装置が接続される場合、複数の通信装置を順次に切り換えて、各通信装置の試験を順次に行なわせるための切換手段がさらに設けられている。これにより、複数の通信装置を効率良く試験，評価することができる。
【００３８】
また、請求項２記載の発明では、通信装置の合否を自動的に判定し、さらに判別することができるため、ほとんど人の労力を必要としない、通信装置の自動検査装置を実現できる。これによって大幅な人的資源の節約が可能となる。
【００３９】
【発明の実施の形態】
以下、本発明の実施形態を図面に基づいて説明する。図１は本発明に係る通信試験装置の構成例を示す図である。図１を参照すると、この通信試験装置は、全体の制御を行なう制御部１と、試験対象となる通信装置９０，９１が実際に使用される伝送路の伝送特性を擬似的に再現する機能を有する回線特性シミュレータ２と、データ伝送誤り率測定装置３と、種々の測定条件や種々の測定手順などが保持されている記憶部４と、測定の実行開始の指示等を入力するための入力部５と、測定結果等を取得するための取得部６と、試験対象（被測定装置）となる送信側の通信装置９０に対する制御用インタフェースとして機能する通信制御用インタフェース部７と、試験対象（被測定装置）となる受信側の通信装置９１に対する通信制御用インタフェースとして機能する通信制御用インタフェース部８とを有している。
【００４０】
ここで、制御部１は、測定手順，測定条件の設定を行なったり、通信装置９０，９１の試験（測定）の実行制御を行なったり、測定結果の解析を行なったりする機能を有している。
【００４１】
また、制御部１，記憶部４，入力部５，取得部６は、システムバス５０によって互いに接続され、これらは、例えば市販のパーソナルコンピュータで実現できる。この場合、制御部１における通信試験制御（例えば、測定手順，測定条件の設定や試験の実行制御や測定結果の解析など）は、予め用意された手続き（例えば、プログラム言語によって記述された手続き）に従って行なうことができる。また、取得部６は、プリンタ（印字，印刷装置）やディスプレイ（表示装置），ファイル（例えば書込み／読出し可能な記憶媒体（例えばディスク）など）等により構成することができる。
【００４２】
また、回線特性シミュレータ２，データ伝送誤り率測定装置３は、制御部１，記憶部４，入力部５，取得部６が例えばパーソナルコンピュータで構成されている場合、パーソナルコンピュータに対して外部の機器として構成されており、この場合、回線特性シミュレータ２，データ伝送誤り率測定装置３とパーソナルコンピュータ（制御部１）とは、これらをＧＰ−ＩＢ，ＲＳ−２３２Ｃなどのインタフェースバス５１によって接続することができる。例えば、回線特性シミュレータ２については、市販のもので外部からの制御インタフェースを有するものであれば用いることが可能である。また、データ伝送誤り率測定装置３についても同様であり、外部からの制御インタフェースを有するものであれば用いることが可能である。
【００４３】
このように、外部（例えば制御部１）からの制御が可能な回線シミュレータ２，データ伝送誤り率測定装置３が用いられることにより、人手の介入を最小に抑えた、通信装置の試験が可能となり、これによって、測定を実行する作業者によって結果が異なるような試験，評価のばらつきを大幅に低減することが可能となり、再現性，信頼性の高い、通信装置の試験が可能となる。また、新たな回線条件下での試験，評価の必要が生じた場合に回線条件の設定等を速やかにかつ容易に行なうことができる。すなわち、制御部１から回線シミュレータ２，データ伝送誤り率測定装置３に測定条件等を迅速かつ容易に設定することができる。また、制御部１と通信制御用インタフェース７，８との接続も、所定のバス５２を用いて行なうことができる。
【００４４】
また、通信装置９０，９１は、任意の被測定装置，例えば図１０に符号２００で示されているような変復調装置（モデム）などであり（なお、通信装置９０，９１が図１０のモデム２００である場合、通信装置９０は図１０の送信部２０２に対応し、通信装置９１は受信部２０４に対応する）、被測定装置としての通信装置９０．９１は、試験時に、通信制御用インタフェース７，８，回線特性シミュレータ２に接続されるようになっている。
【００４５】
また、本実施形態においては、測定パラメータ，測定条件，測定手順を自動的に変えながら、被測定装置（通信装置９０，９１）を自動的に試験，評価することを意図している。
【００４６】
ここで、測定パラメータとは、測定時のＳ／Ｎ，障害の強度などのパラメータを意味している。より具体的には、Ｓ／Ｎ，瞬断時間，振幅ヒットの強さ，位相ヒットの強さ，インパルスノイズの強さなどを指す。
【００４７】
また、測定条件とは、特に回線の状態（回線特性）を指すものであり、測定パラメータが組み合わされたものを意味している。
【００４８】
また、測定手順とは、測定の指示などの手順を意味し、例えば、二つのモデムのコネクションを実現する部分（プロトコルに相当），測定項目に応じて測定条件を変更する部分，測定パラメータをスイープさせ実際に測定する部分，測定結果を格納して必要に応じて出力する部分等からなる、一連の手続きを指している。
【００４９】
換言すれば、個々の回線障害の特性を表現する「回線特性パラメータ」のうち測定時にスイープさせるのが「測定パラメータ」であり、回線状態を実現する「回線パラメータ」の組み合わせと測定範囲等が「測定条件」であり、接続，測定条件の切り替え，エラー処理，測定の実行，結果の格納・出力等の一連の手続きが「測定手順」となる。
【００５０】
このような種々の測定手順および測定条件（測定パラメータ）は、上述のように、記憶部４に保持されており、制御部１により（より詳しくは制御部１に予め用意されている手続（例えばプログラム）により）、必要に応じて呼び出されて必要な測定手順，測定条件が設定されるようになっている。すなわち、本実施形態では、測定手順，測定条件の設定をプログラマブルなものとすることにより、全自動測定（全自動試験）を実現するようにしている。
【００５１】
このため、本実施形態では、制御部１は、記憶部４に保持されている種々の測定手順，測定条件のうちから必要なものを読出し（例えばプログラムに従って読出し）、測定手順，測定条件の設定を行なうようになっている。また、制御部１は、通信装置制御用インターフェース４を通じて送信側，受信側の各通信装置９０，９１を制御することによって、測定開始と通信開始、あるいは中断，再開のタイミングを取るように構成されている。
【００５２】
また、通信制御用インタフェース７，８は、データ伝送誤り率測定装置３から送られる伝送データを送信側の通信装置９０に伝え、受信側の通信装置９１が受信したデータをデータ伝送誤り率測定装置３に伝える機能、通信装置９０，９１の送・受信モードの設定，送・受信の開始や停止，通信装置９０，９１の内部パラメータの設定等の機能、通信装置９０，９１の内部パラメータの設定状況の取得，受信状態の情報の取得，送・受信信号の取得機能等を有し、通信装置９０，９１の制御および状態の監視機能を有している。
【００５３】
ここで、通信装置９０，９１の内部パラメータとは、通信装置９０，９１がモデムである場合、例えば、イコライザのタップ係数の更新速度などを指す。
【００５４】
このような構成の通信試験装置では、試験対象（被測定装置）となる通信装置９０，９１を試験，評価する場合、通信装置９０，９１を、通信試験装置の通信制御用インタフェース７，８，回線特性シミュレータ２に接続する。例えば、通信装置９０，９１が変復調装置の送信部，受信部である場合、この変復調装置の送信部，受信部を通信試験装置の通信制御用インタフェース７，８，回線特性シミュレータ２に接続する。
【００５５】
そして、作業者が、入力部５から、試験の実行開始を指示すると、制御部１は、例えばプログラムに従って、記憶部４から必要な測定手順，測定条件を自動的に読出し、これを例えば、回線特性シミュレータ２，データ伝送誤り率測定装置３に自動設定する。測定手順，測定条件を設定した後、制御部１は、データ伝送誤り率測定装置３を起動し、試験対象（被測定装置）である通信装置９０，９１の試験（測定）を、設定した測定手順，測定条件で行なわせる。すなわち、データ伝送誤り率測定装置３は、試験用の所定の伝送データを発生し、これを通信制御用インタフェース７を介して送信側の通信装置９０に与え、送信側の通信装置９０において伝送データを変調して受信側の通信装置９１に向けて、伝送信号として送出させる。この際、回線特性シミュレータ２は、設定された測定条件，正確には、ある測定パラメータに従った回線特性を模擬的に実現しており、送信側の通信装置９０から出力された伝送信号は、回線特性シミュレータ２によって、模擬的な回線特性（測定パラータ）に従った信号処理が施され（所定の信号劣化要因が加えられて）、受信側の通信装置９１に与えられる。受信側の通信装置９１においては、送信側の通信装置９０から出力され回線特性シミュレータ２による所定の信号処理を受けた伝送信号を受信すると、これを復調して、通信制御用インタフェース８に出力する。通信制御用インタフェース８では、受信側の通信装置９１からの信号を受けると、これをデータ伝送誤り率測定装置３に与える。
【００５６】
この一連のサイクルにおいて、データ伝送誤り率測定装置３は、送信側の通信制御用インタフェース７への出力ＯＵＴと受信側の通信制御用インタフェース８からの入力ＩＮとを比較して、上記測定パラメータにおけるデータ誤り率などの測定を行なうことができる。
【００５７】
このようにして、ある測定手順において、ある測定条件の１つの測定パラメータで測定を行なった後、制御部１は、この測定条件の次の測定パラメータを設定して同様にして測定を行ない、１つの測定条件の各測定パラメータでの測定を順次に行なった後、制御部１は、必要に応じて（例えばプログラムに従って）、例えば次の測定条件を記憶部４から読出して設定し、次の測定条件の各測定パラメータでの測定を同様にして順次に行ない、また、制御部１は、必要に応じて（例えばプログラムに従って）、例えば次の測定手順，測定条件を記憶部４から読出して設定し、次の測定手順，測定条件で同様に測定を行なうことができる。
【００５８】
このように、図１の通信試験装置では、種々の測定条件，測定手順を記憶部４に記憶させておき、記憶部４に記憶されている種々の測定手順，測定条件から必要なものを必要に応じて（すなわち予め用意された手続き（例えばプログラム）に従って）、制御部１により自動的に読出して設定し、続いて、設定された測定条件の一つあるいは複数のパラメータを順次変化させて予定されている測定を実行することにより、より人間の労力を必要としない通信装置の試験を実現することができる。
【００５９】
換言すれば、図１の通信試験装置では、入力部５からは、単に試験開始の指示を与えるだけで良く、必要とされる測定手順，測定条件は、記憶部４から自動的に読出されて設定されるので、測定手順，測定条件を作業者によって入力設定するという煩雑さを回避し、試験の開始から終了までの全手順を自動的に行なうことができ（全自動測定が可能となり）、試験の際の作業効率を従来に比べて著しく高めることができる。
【００６０】
ところで、例えば、測定条件としては、上述したように、これを１つの測定パラメータ（例えば、１つのＳ／Ｎ）だけで構成し、１つの測定パラメータだけで測定を行なうこともできるが、複数の測定パラメータ（例えば、複数のＳ／Ｎ）の組み合わせとして構成し、複数の測定パラメータで順次測定を行なうこともできる。例えば、１つの項目（例えば測定条件）の試験として、ある回線条件下で、測定パラメータとしてのＳ／Ｎを１０［ｄＢ］から３０［ｄＢ］まで５［ｄＢ］間隔で順次に変化させて測定することができる。なお、このような１つあるいは複数の測定パラメータ，すなわち測定条件は、前述のように、必要に応じて（プログラムに従って）、記憶部４から自動的に読み出されて設定される。
【００６１】
このような測定においては、通常Ｓ／Ｎが大きくなるに連れてＢＥＲは向上するので、場合によっては測定途中で誤り数が０になる場合もあり、誤り数が０と測定された以降の測定（例えばＳ／Ｎが２０［ｄＢ］で誤り数が０となった場合、Ｓ／Ｎが２５，３０［ｄＢ］における測定）は、行なう必要がない。
【００６２】
本発明は、上記例のように、測定結果がある基準を満たした以後の測定を行なわないことで、試験効率をより一層向上させることをさらに意図している。このため、本発明の通信試験装置では、制御部１は、測定中にその測定結果を逐次解析，評価するようになっている。すなわち、制御部１は、データ伝送誤り率測定装置３から測定結果が得られるとき、この測定結果を予め設定された所定の判定基準に照らし合わせ、例えば、１つの項目（測定条件）の試験中に、測定結果が判定基準を満たしていないときには、次の測定を継続実行し、測定結果が判定基準を満たしたときには、測定をこの時点で中断するような制御を行なうようになっている。上記のような例の場合、判定基準として例えば誤り数＝０を設定し、誤り率が０になったＳ／Ｎ以降の測定を継続しないとの決定を行なうことができる。これによって、自動測定の無駄（自動測定にありがちな意味のない測定）を省き、試験の効率をより向上させることができる。
【００６３】
なお、上述の例では、１つの項目（測定条件）の試験中に、測定結果が判定基準を満たしていないときには、次の測定を継続実行し、測定結果が判定基準を満たしたときには、測定をこの時点で中断するようにしているが、制御部１は、各項目の試験ごとに、その試験全体についての測定結果を予め設定された判定基準（例えば合否の判定基準）と照らし合わせ、例えば、測定結果（試験結果）が予め設定された合否の判定基準を満たした場合は次項目の試験を継続実行し、満たさない場合は不合格としてその通信装置に関する試験をこの時点で中断するような解析，評価を行なうようになっていても良い。このように、試験の目的などに応じて試験の継続実行，中断の判定基準を設けることで、測定条件等によっては大幅に試験の効率を向上させることができる。
【００６４】
次に、このような構成の通信試験装置の具体的な処理動作例を図２乃至図４のフローチャートを用いて説明する。通信装置９０，９１の試験を行なうに先立って、通信装置９０，９１を装着し、また、通信装置９０，９１の試験，評価に必要な手続きを制御部１に予め用意しておく。この段階で、入力部５から試験の開始が指示されると、制御部１は、予め用意された手続き（例えば所定のプログラム）に従って、記憶部４から所定の測定手順を読出して、測定手順を設定し（ステップＳ１）、また、記憶部４から所定の測定条件を読出して、測定条件を設定する（ステップＳ２）。すなわち、例えば、回線特性シミュレータ２，データ伝送誤り率測定装置３にこれらを設定する。また、通信装置９０，９１を所定の状態に設定する（ステップＳ３）。
【００６５】
次いで、データ伝送誤り率測定装置３を起動し、通信装置９０に伝送データの送信を開始させ（ステップＳ４）、通信装置９１からの受信レベルを測定させて（ステップＳ５）、上記設定された測定手順，測定条件下での信号と雑音のレベル調整、および受信信号のレベル調整を行なわせる。レベル調整が終了すると、送信を停止させる（ステップＳ６）。なお、ステップＳ４乃至Ｓ６のレベル調整処理は、本発明とは直接関係しない。
【００６６】
しかる後、制御部１は、上記測定条件のうちの１つの測定パラメータ（例えば、１つのＳ／Ｎ）を選択設定し（ステップＳ７）、この測定パラメータの下で、測定を開始させる（ステップＳ８）。すなわち、データ伝送誤り率測定装置３を起動し、通信装置９０に伝送データの送信を開始させ、この伝送データに回線シミュレータ２によって所定の回線特性（Ｓ／Ｎ）を受けさせて通信装置９１に受信させ、通信装置９１からの受信データを送信データと比較させて、データ伝送誤り率を測定させる。
【００６７】
このようにして、１つの測定パラメータでの測定結果（すなわち、データ伝送誤り率）が得られると、制御部１は、この測定結果を解析，評価し、例えば、測定結果を予め設定されている基準（例えば、誤り率＝０）に照らし合わせて（ステップＳ９）、この時点で測定を中断するか継続するかを判断する（ステップＳ１０）。例えば、測定結果（データ伝送誤り率）が基準を満たしておらず（０とはなっておらず）、継続する場合は、例えば、取得部６にその時点までの測定結果を出力（例えば表示）し、また、この測定結果、およびこの測定結果を得た測定手順，測定条件，測定パラメータ等を例えば、取得部６内のファイルに格納して（ステップＳ１１）、次の測定パラメータがないか否かを判定する（ステップＳ１２）。次の測定パラメータがある場合には、ステップＳ７に戻り、測定パラメータの設定を変更して、ステップＳ８〜Ｓ１１の処理を繰り返し行なう。すなわち、測定条件の各測定パラメータを順次に変えて測定を行ない、測定結果を測定パラメータが変更される度に解析，評価し、測定を中断するか継続するかを判断する。
【００６８】
このような処理において、測定結果が基準を満たし、ステップＳ１０で中断すると判断した場合、もしくは、ステップＳ１２において複数の測定パラメータの全ての測定パラメータについての測定を完了し次の測定パラメータがない場合は、一連の測定結果を解析，評価し、予め設定されていた基準（例えば、許容可能なデータ誤り率）に照らし合わせて（ステップＳ１３）、この時点で測定を中断するか継続するかを判断する（ステップＳ１４）。継続する場合はその時点までの測定結果を取得部６に出力（例えば、表示）し、また、この測定結果、およびこの測定結果を得た測定手順，測定条件，測定パラメータ等を例えば、取得部６内のファイルに格納し（ステップＳ１５）、予め用意された手続き（例えばプログラム）中に、次の測定条件の指定があるか否かを判定する（ステップＳ１６）。次の測定条件の指定がある場合には、ステップＳ２に戻り、測定条件の設定を変更して、再び、ステップＳ３乃至Ｓ１３の一連の測定を実行する。
【００６９】
一方、ステップＳ１４において中断する場合、もしくはステップＳ１６において予め用意された手続き（例えばプログラム）中に指定されている複数の測定条件の全ての測定条件についての測定を終了し、次の測定条件がない場合は、ステップＳ１で設定された測定手順による測定結果を総合的に解析，評価し、予め設定されていた基準（例えば、合否の判定基準）に照らし合わせて（ステップＳ１７）、予め用意された手続き（例えばプログラム）中に指定されている次の測定手順による測定に継続して移行するか否かを判断する（ステップＳ１８）。例えば、合否の判定基準を満たし、継続する場合、その時点までの測定結果を取得部６に出力（表示）し、また、この測定結果、およびこの測定結果を得た測定手順，測定条件，測定パラメータ等を例えば、取得部６内のファイルに格納して（ステップＳ１９）、次の測定手順がないか否かを判定する（ステップＳ２０）。次の測定手順がある場合には、ステップＳ１に戻り、次の測定手順を設定して、上記の設定，測定，解析，評価，判断処理を繰り返す。
【００７０】
一方、ステップＳ１８において、例えば合否の判定基準を満たさず中断すると判断した場合には、例えば適当な警告音を発生させ、取得部６に中断した旨を出力し（例えば、中断したことを知らしめるメッセージを表示させ）、併せてどのような基準によって中断を決定したかを出力（例えば表示）する（ステップＳ２１）。なお、中断した場合でも、それまでの測定結果は中断理由とともに、例えば取得部６内のファイルに格納され、その時に接続されている通信装置に関する測定を終了する。
【００７１】
このように、個々の測定結果の解析，評価を逐次行ないながら，通信装置９０，９１の試験，評価を全て自動的に行なうことができる。すなわち、上述の例では、測定手順，測定条件の設定をプログラマブルなものとすることで、自動測定を実現している。
【００７２】
また、測定結果の解析，評価を逐次実行しながら測定を実施することで、作業者の介在しない自動測定の場合にありがちな無駄な測定，例えば、測定途中で既に明らかに「適」あるいは「不適」と判断されるような結果が得られても延々と測定を続けて試験の処理効率を低下させるようなことを防ぐことができる。すなわち、本発明の通信試験装置は測定結果を判定する機能を有するため、不必要な測定を実行せずに一連の測定を実施することが可能となる。これによって、より効率良く通信装置の試験を行なうことができ、通信装置の開発，製造（品質管理）における効率を向上させ、より品質の安定した通信装置を提供することができる。
【００７３】
このように、図１の通信試験装置では、自動測定を行なうことで、作業効率を向上させ、また、自動測定にありがちな意味の無い測定についてはこれを実行しないようにすることで、自動測定の無駄を省き、試験の処理効率の低下を防止することができる。
【００７４】
また、図１の通信試験装置は、上述のように、測定中，試験中の経過が視覚的に確認できるように測定結果を随時出力するとともに、これを保持するので試験中に何らかの事故や問題が発生した場合にも、その一連の試験が無駄になることを防止することができる。
【００７５】
図５は図１の通信試験装置の変形例を示す図である。図５の通信試験装置は、図１の通信試験装置における回線特性シミュレータ２の機能をも制御部１１にもたせている。すなわち、図５の変形例では、記憶部４，入力部５，取得部６，通信制御用インタフェース７，８，データ伝送誤り率測定装置３などについては、図１の通信試験装置と同様であるが、図５の通信制御装置においては、制御部１１は、図１の通信試験装置の制御部１の機能と回線特性シミュレータ２の機能とを併せ持っている。このような構成では、試験，評価条件としての回線特性の再現をより簡便に実現できる。
【００７６】
すなわち、図５の通信試験装置では、図１の通信試験装置において外部の装置を制御することによって実現していた伝送特性を擬似的に再現するシミュレート機能（回線条件の設定機能）を制御部１１内部で実現して、自動的に通信装置の試験，評価を行なうことができる。
【００７７】
なお、図５の通信試験装置においても、その制御部１１，記憶部４，入力部５，取得部６には、図１の通信試験装置と同様に、例えば、市販のパーソナルコンピュータを用いることができる。すなわち、この場合、図１の通信試験装置の制御部１において予め用意されている手続き（例えばプログラム言語によって記述された手続き）に、回線特性のシミュレート機能を追加すれば良い。
【００７８】
また、図５の通信試験装置による通信装置９０，９１の試験の進め方は、図１の通信試験装置と同様に、例えば図２乃至図４に示すようなフローチャートによる手順で行なうことができる。
【００７９】
また、図５の通信試験装置では、回線特性シミュレータ２を別途に設けるかわりに、１つの制御部１１内で回線特性のシミュレート機能を実現しているが、制御部１１内に回線シミュレート機能をもたせるとともに、これとは別途に図１のように回線特性シミュレータ２を設け、制御部１１内の回線シミュレート機能とこれとは別途に設けた回線特性シミュレータ２との両者を併用して用いることも可能である。
【００８０】
また、図６は図１の通信試験装置の他の変形例を示す図である。図６の通信試験装置においては、制御部２１は、図１の通信試験装置の制御部１の機能とともに、実回線を伝送された通信信号のデータバンクとしての機能をも有している。すなわち、図６の通信試験装置においては、データ伝送誤り率測定装置３を用いずに、通信制御用インタフェース８を通じて、試験対象である通信装置９１の内部パラメータを取得して評価することにより、通信装置９１の試験を行なうように構成されている。なお、図６の通信試験装置においても、その制御部２１，記憶部４，入力部５，取得部６には、図１，図２の通信試験装置と同様に、例えば、市販のパーソナルコンピュータを用いることができる。また、通信制御用インタフェース８についても、図１，図２の通信試験装置の通信制御用インタフェース８と同様のものを用いることができる。
【００８１】
図６の通信試験装置においては、試験対象となる通信装置９１がモデムである場合、この通信装置（モデム）９１の試験の合否の判定基準として、例えば受信時の信号点配置の期待される位置からのずれ量を用いることができる。
【００８２】
また、図６の通信試験装置では、制御部２１内に保持されている通信信号データ（実回線を伝送された通信信号データ）として、すなわち、試験に用いる通信信号データとして、例えば、受信できなければならない最悪状態の限界の信号を用いることによって、通信装置９１の良否の選別が可能である。
【００８３】
また、図６の通信試験装置では、例えば、市場に出回っている製品（通信装置）に関して問題，苦情が発生した場合、実際に使用されている状況で受信信号を何らかの方法で記録し、これを試験用の通信信号データとして制御部２１内に保持し、この通信信号データを用いて、通信制御用インタフェース８を介して、試験対象となる通信装置９１の内部パラメータを解析することによって、問題点の発見，対策の効率を向上させることができる。
【００８４】
このように、図６の通信試験装置では、実際に問題や苦情の発生した状態を容易に再現することができ、より効率的な問題対策環境が得られ、この結果を通信装置の開発に反映させることにより、より高性能の通信装置を提供することができる。また、限界見本の通信信号を用いることによって、製造された通信装置のより簡便で効率の良い試験装置を実現できる。これによって、より信頼性の高い通信装置を提供できる。
【００８５】
なお、上述の説明では、制御部２１内に保持させる通信信号データ，すなわち、試験対象となる通信装置９１に受信させる通信信号データとして、実回線を伝送された通信信号を用いたが、実回線を伝送された通信信号のかわりに、例えば、図１のような通信試験装置の回線特性シミュレータ２を通して取得された通信信号データを用いることも可能である。あるいは、図５のような通信試験装置にて、同様のデータ（回線特性シミュレート機能からの通信信号データ）を取得して用いることも可能である。
【００８６】
換言すれば、図６の通信試験装置では、通信装置の試験に際して、回線のシミュレーションという手段を用いずに、実際の回線で取得された、例えばデジタル録音された音声テープやアナログの音声データ、あるいは別のシステムによって生成された回線状態のシミュレート結果を反映したデータ等、受信部で受け取るデータをそのまま再生することによって、実際の送信側の通信装置を持たずに、受信側の通信装置の試験を行なうことが可能となる。この結果、実際に通信装置が設置されている遠隔地にて問題が発生した場合でも、その現場で得られる受信信号を、図６の通信試験装置に用いることにより、問題の解析を行なうことができる。また、対策後の通信装置の試験に用いることも可能となる。
【００８７】
図７，図８，図９はそれぞれ図１，図５，図６の通信試験装置の変形例を示す図である。図７，図８，図９の通信試験装置では、通信装置９１を複数個（＃１〜＃ｎ）接続可能であって、複数の通信装置＃１〜＃ｎが接続される場合、複数の通信装置＃１〜＃ｎを順次に切換えて各通信装置＃１〜＃ｎの試験で順次に行なわせるための接続切換部１０がさらに設けられている。すなわち、この接続切換部１０は、通信装置９１をその都度人手によって交換したりせずとも、制御部１の制御下で、複数の通信装置＃１〜＃ｎを、１つの通信装置の試験が完了すると、次の通信装置に自動的に順次に切換えるように構成されている。これにより、複数の通信装置＃１〜＃ｎの試験を連続して自動的に効率良く行なうことができる。
【００８８】
この場合、切り換えられた個々の通信装置＃１〜＃ｎについての実際の試験の進め方は、図１，図５，図６の通信試験装置と同様に、例えば図２乃至図４に示すようなフローチャートによる手順で行なうことができる。
【００８９】
また、図７，図８，図９の通信試験装置において、複数の通信装置＃１〜＃ｎを順次に試験する際、各通信装置の合否を所定の基準に基づいて判定し、その判定結果により、基準に満たないと判断された通信装置を、合格と判断された通信装置あるいは試験中の通信装置と区別もしくは分離する判定分離手段がさらに設けられていても良い。
【００９０】
この場合には、通信装置の合否を自動的に判定し、さらに判別することができるため、ほとんど人の労力を必要としない、通信装置の自動検査装置を実現できる。これによって大幅な人的資源の節約が可能となる。
【００９１】
なお、上述の各構成例では、制御部１，記憶部４，入力部５，取得部６として例えばパーソナルコンピュータを用い、プログラム言語によって記述された手続き（予め用意された手続き）によって通信試験装置を実現しているが、予め用意された手続きを順次実行可能で、外部装置とのインタフェースが構築できるものであれば、パーソナルコンピュータに限らず、任意の装置を制御部１，記憶部４，入力部５，取得部６として使用することもできる。
【００９２】
また、本発明では、通信装置としては、より具体的に、ファクシミリ，ファクシミリモデム，データモデムなどを試験，評価することが可能であり、本発明を用いることで、これらの通信装置の開発や合否判定などを効率良く行なうことができる。
【００９３】
【発明の効果】
以上に説明したように、請求項１記載の発明によれば、通信装置の動作特性を試験する通信試験装置において、該通信試験装置は、種々の測定条件および測定手順を記憶している記憶手段と、予め用意された手続きに従って、記憶手段に記憶されている種々の測定条件および測定手順のうちから所定の測定条件および測定手順を読出して設定し、設定された測定条件および測定手順で通信装置の動作特性を測定する制御を行なう制御手段と、測定された結果を取得する取得手段とを有し、前記制御手段は、通信装置の試験実行時に、測定と同時に測定結果の解析を行ない、該通信装置に関する測定あるいは試験を継続するか中断するかを判断するようになっており、測定中，試験中に常に測定結果の吟味を行なっているため、測定中の問題点の検出や、無駄な測定の防止が可能となる。これによって、より効率良く通信装置の試験を行なうことができる。
【００９９】
また、請求項２記載の発明によれば、請求項１記載の通信試験装置において、該通信試験装置には、複数の通信装置を接続可能であって、複数の通信装置が接続される場合、複数の通信装置を順次に切り換えて、各通信装置の試験を順次に行なわせるための切換手段がさらに設けられているので、複数の通信装置を効率良く試験，評価することができる。
【０１００】
また、請求項２記載の発明によれば、通信装置の合否を自動的に判定し、さらに判別することができるため、ほとんど人の労力を必要としない、通信装置の自動検査装置を実現できる。これによって大幅な人的資源の節約が可能となる。
【図面の簡単な説明】
【図１】本発明に係る通信試験装置の構成例を示す図である。
【図２】図１の通信試験装置の処理動作例を説明するためのフローチャートである。
【図３】図１の通信試験装置の処理動作例を説明するためのフローチャートである。
【図４】図１の通信試験装置の処理動作例を説明するためのフローチャートである。
【図５】図１の通信試験装置の変形例を示す図である。
【図６】図１の通信試験装置の変形例を示す図である。
【図７】図１の通信試験装置の変形例を示す図である。
【図８】図５の通信試験装置の変形例を示す図である。
【図９】図６の通信試験装置の変形例を示す図である。
【図１０】従来の通信試験装置の構成図である。
【図１１】図１０の通信試験装置の処理動作を説明するためのフローチャートである。
【符号の説明】
１              制御部
２              回線特性シミュレータ
３              データ伝送誤り率測定装置
４              記憶部
５              入力部
６              取得部
７，８          通信制御用インタフェース
１０            接続切換部
９０，９１      通信装置（被測定装置）
【図１】
0003567351.tif 000002
【図２】
0003567351.tif 000003
【図３】
0003567351.tif 000004
【図４】
0003567351.tif 000005
【図５】
0003567351.tif 000006
【図６】
0003567351.tif 000007
【図７】
0003567351.tif 000008
【図８】
0003567351.tif 000009
【図９】
0003567351.tif 000010
【図１０】
0003567351.tif 000011
【図１１】
0003567351.tif 000012